(57)【特許請求の範囲】
【請求項１】
ドア枠の少なくとも付設部材が取付けられる枠体が中空部材で構成され、前記付設部材は前記枠体内部に設けられた裏板に固着されるドア構造に於いて、前記裏板が前記枠体の付設部材取付け面の裏面に対して摺動可能に設けられると共に前記裏面から裏板が離反することを抑止する離反抑止手段を具備し、前記裏板を付設部材取付け位置に位置決めするストッパを前記枠体内部に突出させたことを特徴とするドア構造。
【請求項２】
前記離反抑止手段が、前記枠体の付設部材取付け面の裏面に対して平行に形成された突条であり、該突条は前記裏面との間に裏板保持溝を形成し、該裏板保持溝に裏板の幅端が摺動自在に嵌合する請求項１のドア構造。
【請求項３】
前記離反抑止手段が裏板の幅端部に形成された曲げ部、該曲げ部が摺動可能に当接し前記裏面に対して平行に形成された枠体の部位である請求項１のドア構造。
【請求項４】
ストッパは漸次突出長さが異なり、裏板の幅寸法が漸次異なり、ストッパ突出長さと裏板幅寸法の組合せで裏板の位置決め位置が決定される様にした請求項１のドア構造。
【請求項５】
前記裏板の一幅端は前記裏板保持溝に摺動自在に嵌合し、前記裏板の他の幅端部は直角に曲げられ、曲げ部の先端は前記裏面に対して平行に形成された枠体の部位に対して摺動可能である請求項２のドア構造。
【請求項６】
前記枠体は、ドア枠の縦枠であり、前記付設部材は、扉体を前記縦枠に対して回動可能に連結する蝶番である請求項１乃至請求項５の内いずれか１つのドア構造。
【発明の詳細な説明】
【０００１】
【発明の属する技術分野】
本発明はドア枠構造、特に中空のアルミ製部材によりドア枠が構成されるドア構造に関するものである。
【０００２】
【従来の技術】
図９に於いて、ドア構造の概略について説明する。
【０００３】
壁等躯体９の開口部に設置されるドア枠１は中空の枠体である縦枠２，３、上横枠４、下横枠５により構成されている。扉体７は前記縦枠２に付設部材である蝶番６を介して回動可能に取付けられている。
【０００４】
前記縦枠２，３及び上横枠４、下横枠５には中空のアルミ押出し型材が使用されている。アルミ材料は柔らかく、強度も低いので前記蝶番６を直接前記縦枠２に螺子止めすることは避けなければならない。この為、通常は鋼製の裏板１１（図１０参照）が用いられ、前記蝶番６固着用の固着具である螺子は前記裏板１１に螺着され、前記蝶番６と裏板１１とで前記縦枠２を挾持する様になっている。
【０００５】
図１０〜図１２により、従来の裏板１１の取付け方法について説明する。
【０００６】
該裏板１１の取付けは、前記縦枠２，３、上横枠４、下横枠５でドア枠１を組立てる前、即ち、前記縦枠２が単体の状態で行われる。
【０００７】
該縦枠２には前記蝶番６取付け用の孔１６（図では蝶番６の取付け箇所の１箇所で５つ）、及び前記裏板１１取付け用の孔１７（図では蝶番６の取付け箇所の１箇所で１つ）が予め穿設されている。前記裏板１１は前記縦枠２の前記蝶番６取付け面の裏面に固定される。前記縦枠２の中空形状は然程大きくないので、前記裏板１１を中空部に挿入する為、棒状の補助具１２が用いられる。
【０００８】
前記裏板１１には蝶番固定用の螺子孔１３、裏板固定用の螺子孔１４が穿設されている。
【０００９】
前記補助具１２の先端に前記裏板１１を載置支持し、前記縦枠２に挿入する。その後前記補助具１２により前記裏板１１を支持したまま固定位置に位置合わせし、前記孔１６と螺子孔１３、前記孔１７と螺子孔１４とを位置合わせし、螺子１５を前記孔１７に挿通し、前記螺子孔１４に螺着して前記裏板１１を前記縦枠２に固着する。上記作業を繰返して３箇所に前記裏板１１を固定する。状況によっては、上端部、下端部の裏板１１の取付けは指で支持でき、前記補助具１２を使用しないでよい場合もあるが、中間部の裏板１１の取付けは、やはり前記補助具１２を必要とする。
【００１０】
尚、前記螺子１５の位置は図１２で示す様に、前記蝶番６を取付けた場合に干渉しない位置となっている。
【００１１】
前記裏板１１を前記縦枠２に固定後、前記縦枠２，３、上横枠４、下横枠５で前記ドア枠１を組立てる。
【００１２】
【発明が解決しようとする課題】
上記従来の前記裏板１１の取付け方法では、枠体である前記縦枠２が長尺である場合は、二人作業となる。更に、一人作業とする場合は、片手で前記補助具１２を支持し、片手で固着具である前記螺子１５での固着を行うという不安定な作業となる。この為、前記螺子孔１４と螺子１５の位置合わせがうまく行えない、或は前記縦枠２の内部で前記裏板１１を落としたり倒したりして作業のやり直しをする等作業性が悪かった。更に、該裏板１１自体を固定する為の螺子孔１４を穿設しなければならなかった。
【００１３】
本発明は斯かる実情に鑑み、裏板の取付け作業が簡単に行える様にし、作業性の向上を図ると共に裏板の加工を簡単にし、コストの低減を図るものである。
【００１４】
【課題を解決するための手段】
本発明は、ドア枠の少なくとも付設部材が取付けられる枠体が中空部材で構成され、前記付設部材は前記枠体内部に設けられた裏板に固着されるドア構造に於いて、前記裏板が前記枠体の付設部材取付け面の裏面に対して摺動可能に設けられると共に前記裏面から裏板が離反することを抑止する離反抑止手段を具備し、前記裏板を付設部材取付け位置に位置決めするストッパを前記枠体内部に突出させたドア構造に係り、又前記離反抑止手段が、前記枠体の付設部材取付け面の裏面に対して平行に形成された突条であり、該突条は前記裏面との間に裏板保持溝を形成し、該裏板保持溝に裏板の幅端が摺動自在に嵌合するドア構造に係り、又前記離反抑止手段が裏板の幅端部に形成された曲げ部、該曲げ部が摺動可能に当接し前記裏面に対して平行に形成された枠体の部位であるドア構造に係り、又ストッパは漸次突出長さが異なり、裏板の幅寸法が漸次異なり、ストッパ突出長さと裏板幅寸法の組合せで裏板の位置決め位置が決定される様にしたドア構造に係り、又前記裏板の一幅端は前記裏板保持溝に摺動自在に嵌合し、前記裏板の他の幅端部は直角に曲げられ、曲げ部の先端は前記裏面に対して平行に形成された枠体の部位に対して摺動可能であるドア構造に係り、更に又前記枠体は、ドア枠の縦枠であり、前記付設部材は、扉体を前記縦枠に対して回動可能に連結する蝶番であるドア構造に係るものである。
【００１５】
【発明の実施の形態】
以下、図面を参照しつつ本発明の実施の形態を説明する。
【００１６】
図１〜図４に於いて、本発明の第１の実施の形態について説明する。尚、図９〜図１２と同等のものには同符号を付し、説明は省略する。
【００１７】
躯体９の角部に中空の枠体である縦枠２が固定される。該縦枠２は前記躯体９の前面に当接する前面フランジ２０、前記躯体９の端面に当接する端面フランジ２４を具備する。
【００１８】
前記縦枠２に付設部材である蝶番６を介して扉体７が回動可能に取付けられる。前記蝶番６は前記縦枠２の内部に設けられた裏板２１にボルト（図示せず）により前記縦枠２の取付け面２ａを介在して固定されている。又、前記縦枠２の内面には前記取付け面２ａを挾む両側面２ｂから前記取付け面２ａと平行に突出する突条１８が前記縦枠２の全長に亘り形成されており、前記突条１８と前記取付け面２ａとの間には裏板保持溝１９が形成される。該裏板保持溝１９に前記裏板２１が嵌合する。尚、２２はタッピング螺子が螺着する為の溝を形成するリブであり、対向する２面に形成され、上横枠４はタッピング螺子を前記溝に螺着することで、前記縦枠２に固定される（図９参照）。
【００１９】
図２、図３を参照して前記裏板２１の取付け方法について説明する。
【００２０】
前記縦枠２には前記蝶番６取付け用の孔１６が予め穿設されると共に前記裏板２１位置決め用のストッパ螺子用下孔（図示せず）が穿設されている。尚、特に図示していないが、前記裏板２１の形状としては、前記螺子孔１４の部分が無いので裏板１１よりは短い矩形形状をし、幅は前記両側面２ｂ間の内寸より僅かに小さくなっている。従って、前記裏板２１は前記縦枠２に対して自在に摺動するが回転はしない様になっている。
【００２１】
先ず、最下位置の蝶番取付け部の前記ストッパ螺子用下孔にタッピング螺子であるストッパ螺子２５を螺着し、該ストッパ螺子２５の先端を若干中空内に突出させる。前記裏板２１を前記縦枠２の上端から前記裏板保持溝１９に嵌合させ、前記縦枠２の上端を持上げて前記裏板２１を摺動、落下させる。該裏板２１は前記ストッパ螺子２５に当接して位置決めされる。前記裏板２１が位置決めされた状態で、該裏板２１に穿設された螺子孔１３（図１０参照）が前記孔１６に合致している。
【００２２】
次に、中段の蝶番取付け部のストッパ螺子用下孔に同様にストッパ螺子２５を螺着し、裏板２１を落込む。更に、同様な作業で上段用の裏板２１を落込む。
【００２３】
前記縦枠２を立てた状態とすれば、前記３枚の裏板２１は所定位置に位置決めされており、前記蝶番６、取付け面２ａを挿通した螺子は螺子孔１３（図１０参照）と合致しており、又前記裏板２１は前記縦枠２自体により回止めされているので、螺子は直ちに前記裏板２１に螺着でき、前記蝶番６が前記縦枠２に固着される。前記蝶番６を螺子止めしようとすると前記裏板２１には前記取付け面２ａの裏面より離反しようとする力が作用するが、前記突条１８は前記裏板２１が離反することを抑止する離反抑止手段として機能する。又、前記ストッパ螺子２５は前記蝶番６を取付けた状態では図１２で示したと同様該蝶番６と干渉しない様になっている。
【００２４】
尚、該蝶番６の取付けは、縦枠２，３、上横枠４、下横枠５によりドア枠１を組立てた後に取付けてもよい。
【００２５】
図５は裏板の変形例を示している。
【００２６】
図５で示す裏板２７では下端に切込み部２９を形成したものである。該切込み部２９は前記ストッパ螺子２５が嵌合するもので、前記裏板２７が前記ストッパ螺子２５に位置決めされた状態で蝶番６を取付けると前記ストッパ螺子２５の頭が蝶番で隠れる様になっている。尚、この場合、該ストッパ螺子２５として使用される螺子は皿螺子が用いられる。
【００２７】
図６は第２の実施の形態を示すものであり、前記突条１８を形成しない場合である。縦枠２には該縦枠２の取付け面２ａと直交する２内面にそれぞれ平行な各一対のリブ２２が形成されている。第２の実施の形態では、前記リブ２２，２２をガイドとして兼用している。
【００２８】
裏板３１は両幅端部が直角に曲げられ、曲げ部の先端が前記取付け面２ａ面に近接する前記リブ２２，２２に略当接する様に形成されている。而して、前記裏板３１は前記縦枠２に対して摺動自在であると共に回転が規制されている。又、前記リブ２２，２２が形成されてなく、中空形状が完全な矩形断面である場合は、裏板３１は前記縦枠２の３内面の略全面に当接する様な凹字形状のものとしてもよい。
【００２９】
尚、該第２の実施の形態では前記裏板３１の曲げ部、前記リブ２２，２２が離反抑止手段として機能する。又、裏板３１の曲げ部が摺動可能に当接するものとしては、前記リブ２２に限らず、前記縦枠２の取付け面２ａと平行に突出する様形成された部位であればよい。更に、突出した部位がない場合は、前記縦枠２の取付け面２ａと対向する面そのものであってもよい。
【００３０】
図７は第３の実施の形態を示すものであり、縦枠２の側面の一方にのみ、突条１８を形成したものである。
【００３１】
裏板３２は一幅端部が直角に曲げられた断面がＬ字形状となり、曲げ部の先端が前記リブ２２に略当接する。又、他方の幅端は前記突条１８で形成される裏板保持溝１９に嵌合する。この場合も、前記裏板３２は前記縦枠２に対して摺動自在であると共に回転が規制される。
【００３２】
該第３の実施の形態では、前記裏板３２の曲げ部、前記リブ２２、突条１８が離反抑止手段として機能する。
【００３３】
図８は第４の実施の形態を示すものであり、前記突条１８の高さを高くした突条３３を形成したものである。
【００３４】
裏板３４は幅寸法の異なる最下段に設けられる裏板３４ａ、中段に設けられる裏板３４ｂ、上段に設けられる裏板３４ｃが用意され、下方のものから漸次幅が広くなる様にしている。又螺子部の長さも異り、最下段に設けられるストッパ螺子３５ａ，中段に設けられるストッパ螺子３５ｂ，上段に設けられるストッパ螺子３５ｃが用意され、下方のものから螺子部の長さを長くしている。
【００３５】
予め、前記ストッパ螺子３５ａ，３５ｂ，３５ｃを一方の側面から螺着し、先端を前記一方の側面側の裏板保持溝１９内に突出させる。前記裏板３４ａの幅はリブ２２側に寄せた状態で前記突条３３から外れず、又前記ストッパ螺子３５ｂ，３５ｃと干渉しないが前記ストッパ螺子３５ａとは干渉する幅となっている。前記裏板３４ｂの幅は前記リブ２２側に寄せた状態で前記突条３３から外れず、又前記ストッパ螺子３５ｃと干渉しないが前記ストッパ螺子３５ａ，３５ｂとは干渉する幅となっており、前記裏板３４ｃの幅は縦枠２の略内寸となっている。
【００３６】
而して、前記裏板３４ａを前記リブ２２側に寄せた状態で落込むと、最下段の前記ストッパ螺子３５ａによって位置決めされ、前記裏板３４ｂを前記リブ２２側に寄せた状態で落込むと、中段の前記ストッパ螺子３５ｂによって位置決めされ、前記裏板３４ｃを落込むと前記ストッパ螺子３５ｃによって位置決めされる。尚、裏板３４の下端をテーパ形状としておくと下端とストッパ螺子３５が係合して、位置決めが更に確実となる。
【００３７】
上記第２の実施の形態、第３の実施の形態、第４の実施の形態に於いて、縦枠２には予め孔１６、ストッパ螺子用の下孔が穿設され、裏板には位置決めされた状態で前記孔１６と合致する螺子孔１３が穿設されていることは言う迄もない。
【００３８】
尚、本発明はアルミ製の押出し成形部材に限らず、薄板鋼板製のドア枠等直接螺子止めが難しい部材のドア枠に対して実施可能であり、又、裏板のストッパとしてはストッパ螺子に限られることはなく、ピン、ボルト等を縦枠２に植設してもよい。
【００３９】
又付設部材は、上記実施の形態では扉体を回動可能に連結する蝶番としたが、ドア枠に付設、固着される部材であれば、例えばドアクローザやドアガード、施錠等の何れでも良い。
【００４０】
尚、本発明に於ける蝶番は、ヒンジ等の扉体をドア枠の枠体に回動可能に連結させて枠体に対する扉体の回動中心となるものを含むものである。
【００４１】
本発明が実施されるドア枠の枠体は、上記実施の形態では付設部材である蝶番が固着される縦枠としたが、付設部材であるドアクローザ等が付設、固着される横枠等としてもよい。
【００４２】
更に、付設部材の裏板への固着は、上記実施の形態では固着具として螺子による固着としたが、ビス、ボルト・ナット、ピン等の固着具を用いて固着するものでも良く、その他の固着手段で固着するものでもよい。
【００４３】
又上記実施の形態では、ドア枠は、２本の縦枠と上横枠、下横枠で構成される四方の枠体よりなるものとしたが、下横枠がなく２本の縦枠と上横枠で構成される三方の枠体よりなるものとしても良い。
【００４４】
又上記実施の形態では、扉体が付設部材である蝶番を介して枠体に回動可能に取付けられている開き戸タイプのものとしたが、引戸タイプのものや折れ戸タイプ、これらの複合タイプ等としてもよい。
【００４５】
更に又、扉体の開閉方向は、開き戸タイプでは横方向回動、縦方向回動、引戸タイプでは横方向、縦方向、水平方向、斜め方向等とすることができる。
【００４６】
又、実施の形態では、開き戸タイプで横方向へ回動する場合としたが、開き戸タイプで縦方向へ回動する場合は、扉体が付設部材である蝶番を介して上横枠或は下横枠に回動可能に固着される。
【００４７】
その他、本発明の要旨の変更をしない範囲で種々変更が可能であることは勿論である。
【００４８】
【発明の効果】
以上述べた如く本発明によれば、ドア枠の少なくとも付設部材が取付けられる枠体が中空部材で構成され、前記付設部材は前記枠体内部に設けられた裏板に固着されるドア構造に於いて、前記裏板が前記枠体の付設部材取付け面の裏面に対して摺動可能に設けられると共に前記裏面から裏板が離反することを抑止する離反抑止手段を具備し、前記裏板を付設部材取付け位置に位置決めするストッパを前記枠体内部に突出させたので、付設部材取付け時に裏板を支持する必要がなく、一人作業が可能であると共に容易に位置決めが可能であり、又裏板自体を枠体に固定する必要がないので、作業性が著しく向上すると共に裏板を枠体に固定する為の加工、作業が必要なくなるので、裏板の加工が簡単になり、コストの低減が図れるという優れた効果を発揮する。
【図面の簡単な説明】
【図１】本発明の第１実施の形態を示す平断面図である。
【図２】同前第１の実施の形態に於ける裏板取付け方法を示す説明図である。
【図３】同前第１の実施の形態に於ける裏板取付け方法を示す説明図である。
【図４】同前第１の実施の形態に於ける裏板取付け方法を示す説明図である。
【図５】本発明に用いられる裏板の変形例を示す平面図である。
【図６】本発明の第２実施の形態を示す要部平断面図である。
【図７】本発明の第３実施の形態を示す要部平断面図である。
【図８】本発明の第４実施の形態を示す要部平断面図である。
【図９】本発明が実施されるドアの全体正面図である。
【図１０】従来の裏板取付け方法を示す説明図である。
【図１１】従来の裏板取付け方法を示す説明図である。
【図１２】従来の裏板取付け方法を示す説明図である。
【符号の説明】
１          ドア枠
２          縦枠
６          蝶番
７          扉体
１８        突条
１９        裏板保持溝
２１        裏板
２２        リブ
２５        ストッパ螺子
２７        裏板
３３        突条
【図１】
0004259769.tif 000002
【図２】
0004259769.tif 000003
【図３】
0004259769.tif 000004
【図４】
0004259769.tif 000005
【図５】
0004259769.tif 000006
【図６】
0004259769.tif 000007
【図７】
0004259769.tif 000008
【図８】
0004259769.tif 000009
【図９】
0004259769.tif 000010
【図１０】
0004259769.tif 000011
【図１１】
0004259769.tif 000012
【図１２】
0004259769.tif 000013